(57)【要約】【課題】記録素子の記録特性の誤差に起因する濃度ムラの補正精度を向上させる。【解決手段】記録ヘッドにおける複数の記録素子のうち、その記録素子の記録特性に起因する濃度ムラを補正する補正対象記録素子を決定し、前記複数の記録素子のうち、出力濃度の補正に用いるＮ個（ただし、Ｎは２以上の整数）の補正記録素子を設定し、この設定された補正記録素子がそれぞれ記録するドットの間の位置に、実際には記録しない演算上の仮想ドットを設定し、該仮想ドットに演算上の仮想濃度を設定し、補正対象記録素子の記録特性と仮想ドットに起因する濃度ムラを算出し、同濃度ムラの空間周波数特性を表すパワースペクトルの低周波成分を低減する補正条件に基づいて前記Ｎ個の補正記録素子の濃度補正係数を決定し、この濃度補正係数を用いて出力濃度を補正する。【選択図】  図１０
2009078390.tif 000002
【特許請求の範囲】
【請求項１】
複数の記録素子を有する記録ヘッドと、
前記記録ヘッド及び被記録媒体のうち少なくとも一方を搬送して前記記録ヘッドと前記被記録媒体を相対移動させる搬送手段と、
前記記録素子の記録特性を示す情報を取得する特性情報取得手段と、
前記複数の記録素子のうち、その記録素子の記録特性に起因する濃度ムラを補正する補正対象記録素子を決定する決定手段と、
前記複数の記録素子のうち、出力濃度の補正に用いるＮ個（ただし、Ｎは２以上の整数）の補正記録素子を設定する補正範囲設定手段と、
前記設定された補正記録素子がそれぞれ記録するドットの間の位置に、実際には記録しない演算上の仮想ドットを設定し、該仮想ドットに演算上の仮想濃度を設定する仮想ドット設定手段と、
前記補正対象記録素子の記録特性と前記仮想ドットに起因する濃度ムラを算出し、同濃度ムラの空間周波数特性を表すパワースペクトルの低周波成分を低減する補正条件に基づいて前記Ｎ個の補正記録素子の濃度補正係数を決定する補正係数決定手段と、
前記補正係数決定手段で決定された濃度補正係数を用いて出力濃度を補正する演算を行う補正処理手段と、
前記補正処理手段による補正結果に基づいて前記記録素子の駆動を制御する駆動制御手段と、
を備えたことを特徴とする画像記録装置。
【請求項２】
前記補正条件は、濃度ムラの空間周波数特性を表すパワースペクトルの周波数原点（ｆ＝０）における微分係数が略０となる条件であることを特徴とする請求項１に記載の画像記録装置。
【請求項３】
前記補正条件は、空間周波数の直流成分の保存条件と、Ｎ−１次までの微分係数が略０となる条件より得られるＮ本の連立方程式で表されることを特徴とする請求項２記載の画像記録装置。
【請求項４】
前記記録特性は、記録位置誤差であることを特徴とする請求項１乃至３の何れか１項に記載の画像記録装置。
【請求項５】
前記仮想ドットは、前記補正記録素子が記録する隣接ドット間の中点に設定されることを特徴とする請求項１乃至４の何れか１項に記載の画像記録装置。
【請求項６】
前記仮想ドットが設定される位置は、前記補正記録素子が記録する隣接ドットの濃度及び位置に応じて決定されることを特徴とする請求項１乃至４の何れか１項に記載の画像記録装置。
【請求項７】
前記仮想濃度は、前記補正記録素子が記録する隣接ドットの濃度及び該隣接ドット間の間隔に応じて決定されることを特徴とする請求項１乃至６の何れか１項に記載の画像記録装置。
【請求項８】
複数の記録素子を有する記録ヘッドと被記録媒体のうち少なくとも一方を搬送して前記記録ヘッドと前記被記録媒体を相対移動させながら、前記複数の記録素子によって前記被記録媒体に画像を記録する画像記録方法であって、
前記記録素子の記録特性を示す情報を取得する特性情報取得工程と、
前記複数の記録素子のうち、その記録素子の記録特性に起因する濃度ムラを補正する補正対象記録素子を決定する決定工程と、
前記複数の記録素子のうち、出力濃度の補正に用いるＮ個（ただし、Ｎは２以上の整数）の補正記録素子を設定する補正範囲設定工程と、
前記設定された補正記録素子がそれぞれ記録するドットの間の位置に、実際には記録しない演算上の仮想ドットを設定し、該仮想ドットに演算上の仮想濃度を設定する仮想ドット設定工程と、
前記補正対象記録素子の記録特性と前記仮想ドットに起因する濃度ムラを算出し、同濃度ムラの空間周波数特性を表すパワースペクトルの低周波成分を低減する補正条件に基づいて前記Ｎ個の補正記録素子の濃度補正係数を決定する補正係数決定工程と、
前記補正係数決定工程で決定された濃度補正係数を用いて出力濃度を補正する演算を行う補正処理工程と、
前記補正処理工程による補正結果に基づいて前記記録素子の駆動を制御する駆動制御工程と、
を含むことを特徴とする画像記録方法。
【請求項９】
複数の記録素子を有する記録ヘッドにおける前記記録素子の記録特性を示す情報を取得する特性情報取得工程と、
前記複数の記録素子のうち、その記録素子の記録特性に起因する濃度ムラを補正する補正対象記録素子を決定する決定工程と、
前記複数の記録素子のうち、出力濃度の補正に用いるＮ個（ただし、Ｎは２以上の整数）の補正記録素子を設定する補正範囲設定工程と、
前記設定された補正記録素子がそれぞれ記録するドットの間の位置に、実際には記録しない演算上の仮想ドットを設定し、該仮想ドットに演算上の仮想濃度を設定する仮想ドット設定工程と、
前記補正対象記録素子の記録特性と前記仮想ドットに起因する濃度ムラを算出し、同濃度ムラの空間周波数特性を表すパワースペクトルの低周波成分を低減する補正条件に基づいて前記Ｎ個の補正記録素子の濃度補正係数を決定する補正係数決定工程と、
を含むことを特徴とする濃度補正係数の決定方法。
【請求項１０】
請求項９に記載の濃度補正係数の決定方法における各工程をコンピュータに実行させるためのプログラム。
【発明の詳細な説明】
【技術分野】
【０００１】
本発明は画像記録装置及び方法並びに濃度補正係数の決定方法及びプログラムに係り、特に複数の記録素子を有する記録ヘッドにおける記録素子ごとの特性のばらつきによって生じる濃度ムラの補正に好適な画像処理技術に関する。
【背景技術】
【０００２】
複数のインク吐出口（ノズル）を有するインクジェット方式の記録ヘッドを備えた画像記録装置（インクジェットプリンター）では、ノズルが持つ吐出特性のばらつきによって、記録画像に濃度ムラ（濃度不均一）が生じ、画質上問題となる。図１９はノズルの吐出特性のばらつきと、記録結果として現れる濃度ムラの例を模式的に描いた説明図である。
【０００３】
同図中、符号３００はラインヘッド、符号３０２-i（i＝１〜８）はノズルを示し、符号３０４-i（i＝１〜８）は各ノズル３０２-i（i＝１〜８）によって打滴されるドットを表している。ここでは、ラインヘッド３００の幅方向（ノズル配列方向）に対して直交する方向（矢印Ｓ方向）に記録紙等の記録媒体が搬送されるものとし、ラインヘッド３００のノズル配列方向が主走査方向、ラインヘッド３００に対する記録媒体の相対的な搬送方向(Ｓ方向)が副走査方向である。
【０００４】
図１９では、左から３番目のノズル３０２-3に着弾位置誤差（本来の着弾位置から図上で左横方向に着弾位置がずれて着弾）が発生し、６番目のノズル３０２-6について液滴量誤差（本来の液滴量よりも多い液滴量で吐出）が発生している例が示されている。この場合、着弾位置誤差や液滴量誤差の発生するノズル３０２-3、３０２-6に対応した印字画像の位置（図中のＡ，Ｂで示した位置）にスジ状の濃度ムラが発生する。
【０００５】
所定の印字領域上で記録ヘッドを複数回走査させて画像記録を行うシリアル（シャトル）スキャン方式の画像記録装置の場合は、よく知られているマルチパス印字によって、濃度ムラを回避することが可能であるが、１回の走査で画像記録を行うシングルパス方式（ラインヘッド方式）では、濃度ムラを回避することが困難である。
【０００６】
ノズルごとの吐出特性のばらつきを完全になくすことはヘッド製造上困難であるため、ばらつきを補正する技術について種々の提案がなされている（特許文献１，２）。
【０００７】
特許文献１は、いわゆる「飛行曲がり現象」によるスジ状のムラ（バンディング）を解消することを目的として、飛行曲がりを起こしている画素を特定し、その飛行曲がり画素を中心とする近傍の予め定めた距離範囲にある画素を補正対象とし、これら補正対象画素の画素値をその飛行曲がり量に応じて補正することを提案している。同文献１によれば、飛行曲がりに応じた補正値は、飛行曲がり画素と、これを挟んで両側に隣接する補正対象画素との間にそれぞれ仮想的な領域を想定し、これら領域内の画素濃度を演算した結果を基に、各領域の濃度が等しくなるように補正値を定めてテーブル化している（特許文献１の段落［０１２９］〜［０１３２］参照）。
【０００８】
特許文献２は、テストパターンを出力してその印字結果から着弾位置誤差のデータを測定し、この着弾誤差データを用いて、各ノズルの誤差特性を取り込んだ濃度プロファイルD(x)を定義し、これをフーリエ変換した関数T(f)のパワースペクトルの低周波成分を最小化する計算により、濃度補正係数を導出することを開示している（特許文献２の段落［００６２］〜［００８９］）。
【特許文献１】特開２００６−２１２９０７号公報
【特許文献２】特開２００６−３４７１６４号公報
【発明の開示】
【発明が解決しようとする課題】
【０００９】
しかしながら、特許文献１の技術では、飛行曲がり画素が多発し連続する場合に、適切に補正値を計算することができず、補正が正しく行われない、或いは補正値の演算負荷が非常に大きいという欠点がある。また、隣接するドット同士が重なる場合に、その重なり部分はインク量（インク厚）に対して線形な濃度とならない（非線形性を示す）が、同文献１では、隣接画素の打滴が重なる場合の濃度の非線形性が考慮されていない。この点は特許文献２も同様である。
【００１０】
本発明はこのような事情に鑑みてなされたもので、隣接する画素間のドットの重なりによる濃度の非線形性を考慮して、より高精度の濃度補正（ムラ補正）を実現できる画像記録装置及び画像記録方法並びにその補正処理に有益な濃度補正係数の決定方法及びプログラムを提供することを目的とする。
【課題を解決するための手段】
【００１１】
前記目的を達成するために、請求項１に係る画像記録装置は、複数の記録素子を有する記録ヘッドと、前記記録ヘッド及び被記録媒体のうち少なくとも一方を搬送して前記記録ヘッドと前記被記録媒体を相対移動させる搬送手段と、前記記録素子の記録特性を示す情報を取得する特性情報取得手段と、前記複数の記録素子のうち、その記録素子の記録特性に起因する濃度ムラを補正する補正対象記録素子を決定する決定手段と、前記複数の記録素子のうち、出力濃度の補正に用いるＮ個（ただし、Ｎは２以上の整数）の補正記録素子を設定する補正範囲設定手段と、前記設定された補正記録素子がそれぞれ記録するドットの間の位置に、実際には記録しない演算上の仮想ドットを設定し、該仮想ドットに演算上の仮想濃度を設定する仮想ドット設定手段と、前記補正対象記録素子の記録特性と前記仮想ドットに起因する濃度ムラを算出し、同濃度ムラの空間周波数特性を表すパワースペクトルの低周波成分を低減する補正条件に基づいて前記Ｎ個の補正記録素子の濃度補正係数を決定する補正係数決定手段と、前記補正係数決定手段で決定された濃度補正係数を用いて出力濃度を補正する演算を行う補正処理手段と、前記補正処理手段による補正結果に基づいて前記記録素子の駆動を制御する駆動制御手段と、を備えたことを特徴とする。
【００１２】
記録画像における濃度の不均一性（濃度ムラ）は、空間周波数特性（パワースペクトル）での強度で表すことができ、濃度ムラの視認性はパワースペクトルの低周波成分で評価できる。本発明では、濃度補正係数を用いた補正後のパワースペクトルの低周波成分を低減する条件を用いて濃度補正係数を決める演算を行うにあたり、実際に記録素子で記録されるドット（実ドット）の間の位置に、演算上の仮想濃度を有する仮想ドットを設定し、この仮想ドットと実ドットとを含めた濃度ムラを算出している。
【００１３】
このような手法により実ドットの重なり部分における濃度の非線形性を仮想ドットの仮想濃度に置き換えて演算することが可能となり、一層精度のよいムラ補正（適切な濃度補正）を実現できる。
【００１４】
「特性情報取得手段」は、予め記録素子の記録特性に関する情報をメモリ等の記憶手段に格納しておき、必要な情報を読み出すことによって情報を取得してもよいし、実際にテストパターン等を印字してその印字結果を読み取り、解析処理を行って記録特性の情報を取得してもよい。記録特性が経時的に変化することに鑑み、適宜のタイミングで情報を更新する態様が好ましい。
【００１５】
本発明に係る画像記録装置の一態様としてのインクジェット記録装置は、ドットを形成するためのインク液滴を吐出するノズル及び吐出圧を発生させる圧力発生手段（圧電素子や加熱素子など）を含む液滴吐出素子（「記録素子」に相当）を複数配列させた液滴吐出素子列を有する液体吐出ヘッド（「記録ヘッド」に相当）と、画像データから生成されたインク吐出データに基づいて記録ヘッドからの液滴の吐出を制御する吐出制御手段とを備え、前記ノズルから吐出した液滴によって被記録媒体上に画像を形成する。なお、本明細書では、ノズルから吐出した液滴によって記録されるドットを「打滴点」と呼ぶ。
【００１６】
記録ヘッドの構成例として、被記録媒体の全幅に対応する長さにわたって複数の記録素子を配列させた記録素子列を有するフルライン型のヘッドを用いることができる。この場合、被記録媒体の全幅に対応する長さに満たない記録素子列を有する比較的短尺の記録ヘッドモジュールを複数個組み合わせ、これらを繋ぎ合わせることで全体として被記録媒体の全幅に対応する長さの記録素子列を構成する態様がある。
【００１７】
フルライン型のヘッドは、通常、被記録媒体の相対的な送り方向（相対的搬送方向）と直交する方向に沿って配置されるが、搬送方向と直交する方向に対して、ある所定の角度を持たせた斜め方向に沿って記録ヘッドを配置する態様もあり得る。
【００１８】
「被記録媒体」は、記録ヘッドの作用によって画像の記録を受ける媒体（被画像形成媒体、被印字媒体、記録媒体、受像媒体、インクジェット記録装置の場合の吐出媒体、被吐出媒体など呼ばれ得るもの）であり、連続用紙、カット紙、シール用紙、ＯＨＰシート等の樹脂シート、フイルム、布、中間転写媒体、インクジェット記録装置によって配線パターンが印刷されるプリント基板、その他材質や形状を問わず、様々な媒体を含む。
【００１９】
「搬送手段」は、停止した（固定された）記録ヘッドに対して記録媒体を搬送する態様、停止した記録媒体に対して記録ヘッドを移動させる態様、或いは、記録ヘッドと記録媒体の両方を移動させる態様のいずれをも含む。
【００２０】
インクジェットヘッドによって、カラー画像を形成する場合は、複数色のインク（記録液）の色別に記録ヘッドを配置してもよいし、１つの記録ヘッドから複数色のインクを吐
出可能な構成としてもよい。
【００２１】
また、本発明は、上記のフルライン型のヘッドに限らず、シリアル（シャトル）スキャン方式の記録ヘッド（記録媒体の搬送方向に略直交する方向に往復移動しながら打滴を行う記録ヘッド）についても適用可能である。
【００２２】
請求項２に係る発明は、請求項１記載の画像記録装置の一態様であり、前記補正条件は、濃度ムラの空間周波数特性を表すパワースペクトルの周波数原点（ｆ＝０）における微分係数が略０となる条件であることを特徴とする。
【００２３】
請求項２に係る発明によれば、濃度補正係数を用いた補正後のパワースペクトルの周波数原点（ｆ＝０）における微分係数が略０となる条件を用いて濃度補正係数を決めるようにしたことで、周波数原点でのパワースペクトルの強度が最小となり、原点付近（すなわち、低周波領域）のパワースペクトルを小さく抑えることができる。これにより、精度のよいムラ補正を実現できる。
【００２４】
請求項３に係る発明は、請求項２記載の画像記録装置の一態様に係り、前記補正条件は、空間周波数の直流成分の保存条件と、Ｎ−１次までの微分係数が略０となる条件より得られるＮ本の連立方程式で表されることを特徴とする。
【００２５】
Ｎ個の補正記録素子についてそれぞれ濃度補正係数を求める場合、未知数はＮ個あるため、直流（ＤＣ）成分の保存条件と、Ｎ−１次までの微分係数が略０となる条件を用いることで、Ｎ本の方程式を得て、これを解くことにより、全ての未知数を決定することができる。
【００２６】
また、より高次の微分係数が略０となる条件を満たすことにより、周波数原点からの周波数の増加に対してパワースペクトルの増加の程度が一層低く抑えられ、低周波成分の強度がより小さい値に保たれる。
【００２７】
請求項４に係る発明は、請求項１乃至３のいずれか１項に記載の画像記録装置の一態様に係り、前記記録特性は、記録位置誤差であることを特徴とする。
【００２８】
請求項４に示した発明態様によれば、記録位置誤差に起因する濃度ムラに対して効果的な補正を行うことができる。
【００２９】
請求項５に係る発明は、請求項１乃至４のいずれか１項に記載の画像記録装置の一態様に係り、前記仮想ドットは、前記補正記録素子が記録する隣接ドット間の中点に設定されることを特徴とする。かかる態様により、簡易に演算が可能である。
【００３０】
請求項６に係る発明は、請求項１乃至４のいずれか１項に記載の画像記録装置の一態様に係り、前記仮想ドットが設定される位置は、前記補正記録素子が記録する隣接ドットの濃度及び位置に応じて決定されることを特徴とする。また、請求項７に係る発明は、請求項１乃至６のいずれか１項に記載の画像記録装置の一態様に係り、前記仮想濃度は、前記補正記録素子が記録する隣接ドットの濃度及び該隣接ドット間の間隔に応じて決定されることを特徴とする。
【００３１】
仮想ドットの位置とその濃度（仮想濃度）の設定の仕方は様々な態様が可能であるが、例えば、請求項６に示すように、仮想ドットの位置については、隣接ドットの濃度と位置に応じて決定する態様が可能であり、仮想濃度については、請求項７に示すように、隣接ドットの濃度及び該隣接ドット間の間隔に応じて決定する態様が可能である。
【００３２】
請求項８に係る発明は前記目的を達成する方法発明を提供する。すなわち、請求項８に記載の画像記録方法は、複数の記録素子を有する記録ヘッドと被記録媒体のうち少なくとも一方を搬送して前記記録ヘッドと前記被記録媒体を相対移動させながら、前記複数の記録素子によって前記被記録媒体に画像を記録する画像記録方法であって、前記記録素子の記録特性を示す情報を取得する特性情報取得工程と、前記複数の記録素子のうち、その記録素子の記録特性に起因する濃度ムラを補正する補正対象記録素子を決定する決定工程と、前記複数の記録素子のうち、出力濃度の補正に用いるＮ個（ただし、Ｎは２以上の整数）の補正記録素子を設定する補正範囲設定工程と、前記設定された補正記録素子がそれぞれ記録するドットの間の位置に、実際には記録しない演算上の仮想ドットを設定し、該仮想ドットに演算上の仮想濃度を設定する仮想ドット設定工程と、前記補正対象記録素子の記録特性と前記仮想ドットに起因する濃度ムラを算出し、同濃度ムラの空間周波数特性を表すパワースペクトルの低周波成分を低減する補正条件に基づいて前記Ｎ個の補正記録素子の濃度補正係数を決定する補正係数決定工程と、前記補正係数決定工程で決定された濃度補正係数を用いて出力濃度を補正する演算を行う補正処理工程と、前記補正処理工程による補正結果に基づいて前記記録素子の駆動を制御する駆動制御工程と、を含むことを特徴とする。
【００３３】
請求項９記載の発明に係る濃度補正係数の決定方法は、複数の記録素子を有する記録ヘッドにおける前記記録素子の記録特性を示す情報を取得する特性情報取得工程と、前記複数の記録素子のうち、その記録素子の記録特性に起因する濃度ムラを補正する補正対象記録素子を決定する決定工程と、前記複数の記録素子のうち、出力濃度の補正に用いるＮ個（ただし、Ｎは２以上の整数）の補正記録素子を設定する補正範囲設定工程と、前記設定された補正記録素子がそれぞれ記録するドットの間の位置に、実際には記録しない演算上の仮想ドットを設定し、該仮想ドットに演算上の仮想濃度を設定する仮想ドット設定工程と、前記補正対象記録素子の記録特性と前記仮想ドットに起因する濃度ムラを算出し、同濃度ムラの空間周波数特性を表すパワースペクトルの低周波成分を低減する補正条件に基づいて前記Ｎ個の補正記録素子の濃度補正係数を決定する補正係数決定工程と、を含むことを特徴とする。
【００３４】
また、請求項９に係る濃度補正係数の決定方法によって決定された濃度補正係数を用いて出力濃度を補正する演算を行う補正処理工程を付加した画像処理方法を提供することも可能である。
【００３５】
請求項１０に係る発明は、請求項９に記載の濃度補正係数の決定方法における各工程をコンピュータに実行させるためのプログラムを提供する。なお、請求項９に係る濃度補正係数の決定方法、及び更に補正処理工程を付加した画像処理方法の各工程をコンピュータに実行させるためのプログラムを提供することも可能である。
【００３６】
本発明によるプログラムは、プリンタなどに組み込まれる中央処理装置（ＣＰＵ）の動作プログラムとして適用できるとともに、パソコンなどのコンピュータシステムに適用することも可能である。
【００３７】
或いはまた、当該プログラムは、単独のアプリケーションソフトウエアとして構成されてもよいし、画像編集ソフトウエアなど、他のアプリケーションの一部として組み込まれてもよい。このようなプログラムをＣＤ−ＲＯＭや磁気ディスクその他の情報記憶媒体（外部記憶装置）に記録し、該情報記憶媒体を通じて当該プログラムを第三者に提供したり、インターネットなどの通信回線を通じて当該プログラムのダウンロードサービスを提供したりすることも可能である。
【発明の効果】
【００３８】
本発明によれば、記録素子の記録特性のばらつきによる濃度ムラを精度よく補正することができ、高品位な画像形成が可能となる。
【発明を実施するための最良の形態】
【００３９】
以下添付図面に従って本発明の好ましい実施の形態について詳説する。
【００４０】
〔補正原理〕
まず、補正の原理について説明する。ここで説明する本発明の実施形態による濃度ムラの補正処理では、あるノズルが持つ着弾位置誤差を補正する際に、そのノズルを含む周囲のノズルＮ本を用いて補正する。詳細は後述するが、補正に用いるノズル数Ｎが大きいほど、より補正精度が高くなる。
【００４１】
図１は補正前の様子を示す図である。同図は、ラインヘッド（記録ヘッドに相当）１０の左から３番目のノズル（nzl3）が着弾位置誤差を持っており、理想的な着弾位置（原点Ｏ）から図上で右方向（Ｘ軸で示した主走査方向）に着弾位置がずれて着弾する。また、図１の下側に示したグラフは、ノズルからの打滴による印字濃度を被記録媒体搬送方向（副走査方向）に平均化して得られる、ノズル列方向（主走査方向）の濃度プロファイルを示したものである。ただし、図１ではノズルnzl3の印字に対する補正を考察するので、ノズルnzl3以外の濃度出力は図示を省略した。横軸（Ｘ軸）は主走査方向の位置を表し、縦軸は光学濃度（Ｏ．Ｄ．）を表す。
【００４２】
各ノズルnzl1〜5の初期出力濃度をＤi＝Ｄini（ただし、ｉはノズル番号1〜5、Ｄiniは一定値を表す）、ノズルnzl3の理想着弾位置を原点Ｏ、各ノズルnzl1〜5の着弾位置をＸi とする。
【００４３】
ここでＤi は、物理的には記録媒体搬送方向に平均化したノズルの出力光学濃度を表し、データ処理上は各画素が持つ濃度データＤ(i,j) （ただし、ｉはノズル番号、ｊは記録媒体搬送方向の画素番号を表す）に対して「ｊ」について平均化したものを表している。
【００４４】
図１に示したように、ノズルnzl3の着弾位置誤差は、ノズルnzl3の濃度出力（太線）の原点Ｏからのズレとして表される。今、この出力濃度のズレを補正することを考える。
【００４５】
図２は補正後の様子を示す図である。ただし、ノズルnzl3以外は補正分のみを図示した。図２の場合、補正に用いるノズル数はＮ＝３であり、ノズルnzl2, nzl3, nzl4 に濃度補正係数ｄ2, ｄ3, ｄ4が乗ぜられている。ここでいう濃度補正係数ｄi は、補正後の出力濃度をＤi’とするとき、Ｄi’＝Ｄi＋ｄi×Ｄiで定義される係数である。
【００４６】
本実施形態では、濃度ムラの視認性が最小となるよう、各ノズルの濃度補正係数が決定される。
【００４７】
濃度ムラ等の空間構造の視認性は、空間周波数特性によって評価できることが知られており（例えば、「Application of FourierAnalysis to the Visibility of Gratings」Journal of Phisiology 197 551-566(1968) F.W.Campbell and J.G.Robson 1967、「NoisePerception in Electrophotography」Journalof Applied Photographic Engineering 5:190-196(1979) R.P.Dooley andR. Shawを参照）)、人間の視覚は低周波成分の感度が高く、高周波成分ほど感度が低いことが明らかにされている。すなわち、濃度ムラの視認性の尺度として、空間周波数特性の低周波エネルギーを用いることが適切である。そのため、本実施形態では、パワースペクトルの低周波成分を最小化するように、各ノズルの濃度補正係数が決定される。
【００４８】
〔濃度補正係数の導出〕
次に、濃度補正係数の導出について説明する。図３(ａ)は、着弾位置ずれの無い理想の打滴によるドット(打滴点)の配置例を示す。図中、矢印ｘで示した方向は、ラインヘッドの幅方向(主走査方向)、つまりノズル配列方向を表している。
【００４９】
図３（ｂ）は、ノズルの吐出特性のばらつきにより着弾位置ずれが発生した実際の打滴点配置の例を示し、図３（ｃ）は、(ｂ)の場合における打滴点のインク厚を模式的に示したものである。
【００５０】
隣接打滴点が重ならない場合は、特許文献２と同様に、各ノズルの誤差特性を取り込んだ濃度プロファイルＤ(x)は次式で表現できる。
【００５１】
【数１】
2009078390.tif 000003
【００５２】
ただし、
x:媒体（メディア）上の幅方向位置
xi:打滴点の着弾位置
Ｄi:ノズル出力濃度
z(x):標準濃度プロファイル(x＝０が重心位置)
しかし、図３(ｂ)、（ｃ）に示すように、隣接打滴点（符号２０，２１）が重なると、重なった部分はインク厚（重なった部分の２打滴の総面積）に線形な濃度とならず、隣接打滴点の濃度が単純な加算（線形計算）にならない。重なった部分の濃度は単純な加算よりも低くなる。このため、上記の［数１］で示したＤ(x)の式は成り立たない。
【００５３】
そこで、本発明の実施形態では、打滴点の重なり部分における濃度の非線形性による目減り分を考慮し、打滴点が重なる位置（図３におけるxVj）に、実際には打滴しない演算上の仮想打滴点３０(濃度Ｅjがマイナスの値も取りうる)を設け、各ノズルの誤差特性を取り込んだヘッド幅方向（ノズル配列方向）の濃度プロファイルを次式(数２)のように定義する。
【００５４】
【数２】
2009078390.tif 000004
【００５５】
ただし、
x:媒体（メディア）上の幅方向位置
xi:打滴点の着弾位置
Ｄi:ノズル出力濃度
z(x):標準濃度プロファイル(x＝０が重心位置)
xVj:仮想打滴の着弾位置
Ｅj:仮想打滴の出力濃度
w(x):仮想打滴点の標準濃度プロファイル(x＝０が重心位置)
仮想打滴点の濃度Ｅj（「仮想濃度」に相当）は、隣接打滴点同士の重なり量に応じて変化させる必要があるため、仮想打滴点の濃度Ｅjは、隣接打滴点の濃度と間隔の関数で表される（数３）。また、仮想打滴点の位置xVjは、隣接打滴点の濃度と位置の関数で表される（数４）。
【００５６】
［数３］  Ｅj＝ｇ（Di,Di+1，Xi+1−Xi）
［数４］  xVj＝ｈ（Di,Di+1，Xi+1，Xi）
実際の装置では、数３、数４の関数に相当するテーブルのデータが用いられる。Ｅjの値を決定するテーブル（[数３]で表される関数g）は、隣接打滴点の濃度と間隔の組み合わせにより値が特定されるものであり、打滴点が重ならない位置での値が「０」となるように設定される。つまり、図４のように、隣接打滴点の重なりが発生する位置（図中矢印で示した位置）のみに濃度Ｅj（≠０）の値が設定された仮想打滴点（実線円で記載）が生成され、重なりが起こらない隣接打滴点間の位置には仮想打滴点（破線円で記載）は生成されない。
【００５７】
仮想打滴点は実際の印字において観察されるものではなく、演算の便宜上、仮想的に設定されるものであり、その設定の仕方は様々に考えられる。図４では、最も単純化した例として、実打滴によるドットサイズが一定で、重なり部分において隣接打滴点の中点に仮想打滴点を設ける場合を示しているが、ドットサイズが変化する場合等についても対応可能であり、仮想打滴点を設定する位置や濃度の設定次第で、様々な状況に対応できる。
【００５８】
仮想打滴点の濃度は、その位置と隣接打滴点（実打滴点）の大きさ、濃度、重なり量（打滴点間隔）に応じて定められるが、重なり量は隣接打滴点の大きさによって変わるため、簡易的には、隣接打滴点の大きさに応じて仮想打滴点の濃度を予め計算しておき、これをルックアップテーブルとして保持し、演算に利用することができる。
【００５９】
或いはまた、更に細かな計算をする場合には、仮想打滴点の位置も隣接する打滴点の位置とそれぞれの大きさから、重心を考慮して、必ずしも中点ではなく、中点から大きい方の打滴点にシフトさせるなどの応用も可能である。
【００６０】
このように、[数２]で定義される濃度プロファイルは、打滴点の重なりによる濃度の非線形性を、仮想打滴点（濃度Ｅj）を導入することによって補正している。
【００６１】
そして本実施形態では、上記［数２］で定義される式のフーリエ変換した関数Ｔ’(f)（［数５］）のパワースペクトル（［数６］）の低周波成分を最小化するＤiの解を導出する。具体的な演算例は後述するが、演算の手法として、Ｔ’(f)のf＝０における微分係数(１次、２次、、、)がゼロであるとして連立方程式を立て、Ｄiの解を求める。こうして得られたＤiの解が濃度補正係数に対応するものとなる。
【００６２】
【数５】
2009078390.tif 000005
【００６３】
【数６】
2009078390.tif 000006
【００６４】
〔仮想打滴点の説明〕
このように仮想打滴点を導入することの効果について以下に詳説する。
【００６５】
まず、打滴されたドット（１打滴）の反射濃度を計算すると、［数７］に示す関係から、[数８]の関係が導ける。
【００６６】
【数７】
2009078390.tif 000007
【００６７】
【数８】
2009078390.tif 000008
【００６８】
ただし、
d：色素濃度(インク厚が一定の場合は色素濃度、色素濃度が一定の場合にはインク厚を示すものとする)
DT：透過濃度
DR：反射濃度
C1：定数
C2：定数
C3：定数
インク色素濃度を半球モデル（これは「インク濃度半球モデル」であり、後述する「反射濃度半球モデル」とは相違するものである）として上記の[数８]式を用いて演算すると、図５、図６の結果が得られる。
【００６９】
図５は、打滴が１つの場合の反射濃度プロファイルであり、横軸は媒体上の位置、縦軸は反射濃度を示す。図６は、２つの打滴が互いに一部重なり合っている場合の濃度プロファイルである。図５、図６に示される演算結果は、実際の打滴の濃度プロファイルを概ね忠実に表すものとなっている。
【００７０】
この濃度プロファイルに関して、濃度ムラの補正値（濃度補正係数）の演算が簡便になるよう、特許文献２に記載のように、図５、図６に示された実際の反射濃度プロファイルを「反射濃度半球モデル」として近似すると、図７、図８のようになる。
【００７１】
図７は、打滴が１つの場合であり、図５に示した実際の反射濃度プロファイルを半球モデル（反射濃度半球モデル）で近似したプロファイルである。図８は、打滴が２つの場合であり、図６に示した実際の反射濃度プロファイルに反射濃度半球モデルを適用したものである。なお、図８中、２打滴での打滴の重なり部分については単純な加算演算で近似した。
【００７２】
図８には、比較のために、図６に示した実際の反射濃度プロファイルを併記した（図８中符号ａで示す）。図８が示すとおり、反射濃度半球モデルで近似して２打滴の重なり部分を単純な加算演算で計算すると、実際の反射濃度プロファイルとの差が大きくなる。ここでは、２打滴について説明したが、２打滴以上のドットが連続する場合についても同様であり、各ドットの重なり部分について、単純な加算演算を行うと、実際の反射濃度プロファイルと大きく食い違ってしまう。
【００７３】
そこで、本発明の実施形態では、演算の容易性を保ったまま、打滴点の重なり部分の反射濃度演算が実際の値（図６）に近づくよう、図９のように、重なり部分の濃度を修正する仮想打滴点を導入する。図９では、第１ドット（打滴１）と第２ドット（打滴２）の中間位置（中点）に、負の濃度を持つ仮想打滴点（図９中符号ｂで示す）を設けた例が示されているが、仮想打滴点を設定する位置やその濃度については、様々な設定が可能である。
【００７４】
なお、図９では、比較のために、図６で説明した実際の反射濃度プロファイル（符号ａ）と、図８で説明した反射濃度半球モデル（単純加算）によるプロファイル（符号ｃ）を併記した。
【００７５】
図９において負の濃度を持つ仮想打滴点を設けたことにより、仮想打滴点の濃度も含めた全体の濃度プロファイル（符号ｄ）は、実際の反射濃度プロファイル（符号ａ）に近づき、図８の例と比べて濃度誤差が改善される。
【００７６】
このように仮想打滴点を導入することで、複数の打滴点が重なるような場合でも、簡便な演算方法において、実際の反射濃度プロファイルに近づけることができる。特に、[数３]で定義されるパワースペクトルを演算する場合(フーリエ変換が必要な場合)には、このような演算方法は有効である。また、実際の打滴点及び仮想打滴点を含む各打滴点の反射濃度を加算（線形結合）で演算するため、各打滴濃度をδ関数に置き換えることも可能であり、その場合、さらに演算を簡略化することができる。
【００７７】
２つの打滴が重なる部分における実際の反射濃度演算は、［数９］の式となるが、本発明による仮想打滴点を用いた手法を使用した反射濃度近似演算は、［数１０］の式となる。
【００７８】
【数９】
2009078390.tif 000009
【００７９】
【数１０】
2009078390.tif 000010
【００８０】
ただし、
r：打滴の反射濃度半球モデルの半径
rv：仮想打滴点の反射濃度半球モデルの半径
xo1：打滴1の中心位置
xo2：打滴2の中心位置
xov：仮想打滴点の中心位置
E：仮想打滴点の濃度（実際の値は、予め[数９]、[数10]式を演算して求めておく）
C1：打滴1の濃度
C2：打滴2の濃度
C3：定数
C4：定数
〔具体的な演算例〕
特許文献２にも記載されているとおり、画像の濃度プロファイルは、各ノズルが印字する打滴点の濃度プロファイルの和であり、ノズルの印字を表すのが印字モデル（１ノズルが印字する濃度プロファイル）である。印字モデルはノズル出力濃度Ｄiと標準濃度プロファイルｚ(x)に分離して表現される。同様に、仮想打滴点のモデルも仮想打滴の濃度Ｅiと標準濃度プロファイルｗ(x)に分離して表現される。
【００８１】
標準濃度プロファイルｚ(x)、ｗ(x)は、厳密にはドット径に等しい有限の広がりを持つものであるが、位置誤差の補正を濃度ズレのバランシングの問題であると考えると、重要なのは各打滴点（ドット）の濃度プロファイルの重心位置（着弾位置）であって、濃度プロファイルの広がりは副次的な要素である。そのため、プロファイルをδ関数で置き換える近似は妥当である。このような標準濃度プロファイルを仮定すると数学的な取り扱いが容易となる。
【００８２】
図３（ｄ）は、実際の打滴点（実打滴点）と仮想打滴点をそれぞれδ関数型印字モデルで示したものである。図３（ｄ）において、実打滴点には正の値の濃度が与えられ、仮想打滴点には負の値の濃度が設定される様子が示されている。［数２］で定義される式中の標準濃度プロファイルｚ(x)、ｗ(x)についてδ関数モデルを適用すると、［数３］は次式［数１１］で表される。
【００８３】
【数１１】
2009078390.tif 000011
【００８４】
Ｅjは、例えば、左右の打滴点濃度から予め演算し、xvjは、例えば、隣接打滴点の中間点、すなわち、(xi＋xi+1)／２として予め演算する。
【００８５】
濃度ムラの視認性を最小化することは、すなわち、[式６]のパワースペクトルの低周波成分を最小化することに相当しており、これは数学的にＴ’(f)の f＝０における微分係数（１次、２次、…）がゼロであることで近似できる。今、補正対象とするＮ個のノズルについて、それぞれの濃度補正係数を求めるため、未知数DiはＮ個であるから、ＤＣ成分の保存条件も含めると、Ｎ−１次までの微分係数がゼロの条件を用いれば、全ての（Ｎ個の）未知数Diが定まる。
【００８６】
すなわち、[数１１]におけるＴ’(f)の f＝０における微分係数（１次、２次、…）がゼロであるとして以下の連立方程式［数１２］を得る。
【００８７】
【数１２】
2009078390.tif 000012
【００８８】
すなわち、このようにして得られた条件式を行列形式で表すと、以下の式［数１３］を得る。
【００８９】
【数１３】
2009078390.tif 000013
【００９０】
[数１３]で示す式の右辺は予め演算して定数化し、行列式［数１４］は、
【００９１】
【数１４】
2009078390.tif 000014
【００９２】
差積を用いて[数１５]で求められるため、
【００９３】
【数１５】
2009078390.tif 000015
【００９４】
クラメルの公式を用いてDiの値を得る。
【００９５】
以上のように、パワースペクトルの原点微分係数をゼロにするという条件から、濃度補正係数を求めることができる。補正に用いる周辺ノズル数Ｎを増やすほど、より高次の微分係数をゼロにすることが可能になるため、低周波エネルギーがより小さくなり、ムラの視認性は一層低減する。
【００９６】
本実施形態では、原点微分係数をゼロにする条件を用いたが、完全にゼロとせずとも、補正前の微分係数に比べて十分小さい値（例えば、補正前の１／１０）に設定しても、濃度ムラのパワースペクトルの低周波成分を十分に小さくすることができる。つまり、濃度ムラが視認されない程度にパワースペクトルの低周波成分を小さくするという条件の観点で、パワースペクトルの原点微分係数を十分に小さい値（略０）に設定するという意味から、その値の範囲として補正前の微分係数の絶対値の１／１０以下までを許容する。
【００９７】
上記説明は、ある特定の１ノズル（例えば、図１におけるノズルnzl3）に対する濃度補正係数の決定方法である。実際には、ヘッド内の全てのノズルが何らかの着弾位置誤差を持っているため、全ての着弾位置誤差に対して補正を行うことが好ましい。
【００９８】
すなわち、全てのノズルに対して、周囲Ｎ個のノズルにおける上記の濃度補正係数を求める。濃度補正係数を決定する際に用いる上述のパワースペクトル最小化方程式は線形なので、ノズルごとに重ね合わせが可能である。そのため、トータルの濃度補正係数は、上述のようにして得られた濃度補正係数の和を取れば求められる。
【００９９】
つまり、ノズルｋの持つ位置誤差に対するノズルｉの濃度補正係数をｄ(i,k)とおくと
、このｄ(i,k)は［数１３］の方程式の解Diから求められる。そして、ノズルｉのトータルの濃度補正係数ｄiは、次式［数１６］として求められる。
【０１００】
【数１６】
2009078390.tif 000016
【０１０１】
なお、上記の例では、全ノズルの着弾位置誤差を補正対象としてインデックスｋを足し合わせているが、ある値ΔＸ_threshを閾値として予め設定しておき、この閾値を超える
着弾位置誤差をもつノズルのみを補正対象とするように選択的に補正する構成も可能である。
【０１０２】
前述のとおり、補正に用いるノズル数Ｎの値を増加させると補正精度が向上するが、濃度補正係数の変化幅も増加して再現画像の破綻を招く可能性がある。そのため、画像破綻を起こさないための補正係数制限範囲（上限値ｄ_maxと下限値ｄ_min）を定めておき、上記［数１６］の式で求まるトータルの濃度補正係数が制限範囲内に収まるようにＮ値を設定することが望ましい。すなわち、ｄ_min＜ｄi＜ｄ_maxを満たすようＮ値を定める。
【０１０３】
実験的な知見によれば、ｄ_min≧−１、ｄ_max≦１を満たすならば画像破綻を起こさない。
【０１０４】
〔濃度補正係数算出時の処理フロー〕
図１０は、濃度補正係数（補正データ）を算出するときの手順を示したフローチャートである。濃度補正係数の算出は、画像出力時に毎回実行する必要はなく、ヘッドの吐出特性が変化したときのみ実行すれば十分である。したがって、図１０に示す処理フローは、装置製造時（出荷時）の他、例えば、以下のいずれかの条件で開始される。
【０１０５】
すなわち、（ａ）印字結果を監視する自動チェック機構（センサ）によって印字画像にスジムラが生じていると判断された場合、（ｂ）人間（オペレータ）が印字画像を見て画像内にスジムラが生じていると判断して所定の操作（更新処理を開始させる指令の入力など）を行った場合、（ｃ）事前に設定していた更新タイミングに達した場合（タイマー等による時間管理やプリント枚数カウンタなどによる稼働実績管理などによって更新タイミングを設定並びに判断可能）、のいずれかの条件で図９に示す処理がスタートする。
【０１０６】
図１０に示すように、濃度補正係数の算出時には、まず、ヘッドの吐出特性を把握するためのテストパターン（予め定められている所定の印字パターン）のプリントが実行される（ステップＳ１０）。
【０１０７】
次いで、そのテストパターンの印字結果から着弾誤差データ、すなわち各ノズルから打滴される実際の打滴点着弾位置を測定する（ステップＳ１２）。着弾誤差データの測定には、イメージセンサ（撮像素子）を利用した画像読取装置（撮像信号を処理する信号処理手段を含む）を用いることができる。読み取った画像のデータから実際の打滴点の位置を測定し、理想の着弾位置（吐出異常等が無いとした場合の設計上の理想着弾位置）との差から着弾位置誤差の情報が得られる。また、着弾位置情報の他、打滴点の光学濃度情報も測定される。このように、テストパターンの読み取りから得られる各種の情報（実際の着弾位置情報、着弾位置誤差情報、光学濃度情報など）を総称する用語として「着弾誤差データ」という用語を用いている。
【０１０８】
次いで、ステップＳ１２で得られた着弾誤差データを利用して、実際には打滴しない演算上の「仮想打滴」を設定する（ステップＳ１４）。具体的には、図３で説明したように、仮想打滴点の位置と濃度を設定する。
【０１０９】
そして、着弾誤差データと仮想打滴点を用いて濃度補正係数を導出する（ステップＳ１６）。濃度補正係数の算出方法については、既に説明した通りである。
【０１１０】
こうして、求めた濃度補正係数の情報はＥＥＰＲＯＭ等の書き換え可能な記憶手段に記憶され、以後、最新の補正係数が用いられる。
【０１１１】
〔画像出力時の処理フロー〕
次に、図１０の手順で得られた濃度補正係数を用いるムラ補正処理を含んだ画像処理フローについて説明する。
【０１１２】
図１１は画像出力時の手順を示すフローチャートである。画像を出力（プリント）する際には、まず、出力すべき画像（プリント対象となる画像）のデータを入力する（ステップＳ２０）。入力時の画像のデータ形態は、特に限定されないが、例えば、２４ビットカラーのＲＧＢデータとする。この入力画像に対して、ルックアップテーブルによる濃度変換処理を行い（ステップＳ２２）、プリンタの持つインク色に対応した濃度データＤ(i,j)に変換する。なお、（i,j）は画素の位置を表し、各画素について濃度データが割り当てられる。
【０１１３】
ここでは、説明の便宜上、入力画像の解像度とプリンタの解像度（ノズル解像度）は一致しているものとするが、両者が一致しない場合は、プリンタ解像度に合わせて、入力画像について画素数変換の処理が行われる。
【０１１４】
ステップＳ２２における濃度変換処理は一般的な処理であり、下色除去（ＵＣＲ:Under color Removal）処理、或いはライトインク（同色系の淡インク）を使用するシステムの
場合におけるライトインクへの分配処理などが含まれる。
【０１１５】
例えば、Ｃ（シアン）Ｍ（マゼンタ）Ｙ（イエロー）の３色インクの構成の場合には、ＣＭＹの濃度データＤ(i,j)に変換される。或いはまた、上記３色に加えてＫ（黒），Ｌ
Ｃ（ライトシアン），ＬＭ（ライトマゼンタ）などの他のインクを含むシステムの場合は、そのインク色を含む濃度データＤ（i,j）に変換される。
【０１１６】
濃度変換処理を経て得られた濃度データＤ(i,j)に対して、濃度補正係数を用いたムラ補正処理が行われる（ステップＳ２４）。ここでは、対応するノズルに応じた濃度補正係数（打滴率補正係数）ｄiを濃度データＤ（i,j）に乗ずる演算が行われる。
【０１１７】
図１２の模式図に示したように、ノズルnzliの位置（主走査方向位置）ｉと副走査方向位置ｊによって画像上の画素位置（i,j）が特定され、各画素について濃度データＤ(i,j)が与えられる。今、図１２の斜線で示した画素列の打滴を受け持つノズルについてムラ補正処理を行う場合、補正後の濃度データＤ’(i,j)は次式、
Ｄ’(i,j)＝Ｄ(i,j)＋ｄi×Ｄ（i,j）
で計算される。こうして、補正済みの濃度データＤ’(i,j)が得られる。
【０１１８】
次いで、この補正済みの濃度データＤ’(i,j)からハーフトーニング処理を行うことによって（図１１のステップＳ２６）、ドットのオン／オフ信号（２値データ）、または、ドットサイズ変調を含む場合はサイズの種類（ドットサイズの選択）を含んだ多値データに変換される。ハーフトーニングの手法は特に限定されず、誤差拡散法やディザ法など周知の２値（多値）化手法を用いることができる。
【０１１９】
このようにして得られた２値（多値）信号に基づいて各ノズルの打滴が実行され、画像が出力される（ステップＳ２８）。すなわち、ハーフトーニング処理（ステップＳ２６）から得られた２値（多値）のデータから、各ノズルのインク吐出（打滴）データが生成され、吐出動作が制御される。これにより、濃度ムラが抑制され、高品位な画像形成が可能である。
【０１２０】
〔インクジェット記録装置の構成〕
次に、上述した濃度ムラの補正機能を備えた画像記録装置の具体的な適用例としてのインクジェット記録装置について説明する。
【０１２１】
図１３は、本発明に係る画像記録装置の一実施形態を示すインクジェット記録装置の全体構成図である。同図に示すように、このインクジェット記録装置１１０は、黒（Ｋ），シアン（Ｃ），マゼンタ（Ｍ），イエロー（Ｙ）の各インクに対応して設けられた複数のインクジェット記録ヘッド（以下、ヘッドという。）１１２Ｋ，１１２Ｃ，１１２Ｍ，１１２Ｙを有する印字部１１２と、各ヘッド１１２Ｋ，１１２Ｃ，１１２Ｍ，１１２Ｙに供給するインクを貯蔵しておくインク貯蔵／装填部１１４と、記録媒体たる記録紙１１６を供給する給紙部１１８と、記録紙１１６のカールを除去するデカール処理部１２０と、前記印字部１１２のノズル面（インク吐出面）に対向して配置され、記録紙１１６の平面性を保持しながら記録紙１１６を搬送するベルト搬送部１２２と、印字部１１２による印字結果を読み取る印字検出部１２４と、記録済みの記録紙（プリント物）を外部に排紙する排紙部１２６とを備えている。
【０１２２】
インク貯蔵／装填部１１４は、各ヘッド１１２Ｋ，１１２Ｃ，１１２Ｍ，１１２Ｙに対応する色のインクを貯蔵するインクタンクを有し、各タンクは所要の管路を介してヘッド１１２Ｋ，１１２Ｃ，１１２Ｍ，１１２Ｙと連通されている。また、インク貯蔵／装填部１１４は、インク残量が少なくなるとその旨を報知する報知手段（表示手段、警告音発生手段）を備えるとともに、色間の誤装填を防止するための機構を有している。
【０１２３】
図１３では、給紙部１１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【０１２４】
複数種類の記録媒体（メディア）を利用可能な構成にした場合、メディアの種類情報を記録したバーコード或いは無線タグなどの情報記録体をマガジンに取り付け、その情報記録体の情報を所定の読取装置によって読み取ることで、使用される記録媒体の種類（メディア種）を自動的に判別し、メディア種に応じて適切なインク吐出を実現するようにインク吐出制御を行うことが好ましい。
【０１２５】
給紙部１１８から送り出される記録紙１１６はマガジンに装填されていたことによる巻きクセが残り、カールする。このカールを除去するために、デカール処理部１２０においてマガジンの巻きクセ方向と逆方向に加熱ドラム１３０で記録紙１１６に熱を与える。このとき、多少印字面が外側に弱いカールとなるように加熱温度を制御するとより好ましい。
【０１２６】
ロール紙を使用する装置構成の場合、図１３のように、裁断用のカッター（第１のカッター）１２８が設けられており、該カッター１２８によってロール紙は所望のサイズにカットされる。なお、カット紙を使用する場合には、カッター１２８は不要である。
【０１２７】
デカール処理後、カットされた記録紙１１６は、ベルト搬送部１２２へと送られる。ベルト搬送部１２２は、ローラ１３１、１３２間に無端状のベルト１３３が巻き掛けられた構造を有し、少なくとも印字部１１２のノズル面及び印字検出部１２４のセンサ面に対向する部分が水平面（フラット面）をなすように構成されている。
【０１２８】
ベルト１３３は、記録紙１１６の幅よりも広い幅寸法を有しており、ベルト面には多数の吸引穴（不図示）が形成されている。図１３に示したとおり、ローラ１３１、１３２間に掛け渡されたベルト１３３の内側において印字部１１２のノズル面及び印字検出部１２４のセンサ面に対向する位置には吸着チャンバ１３４が設けられており、この吸着チャンバ１３４をファン１３５で吸引して負圧にすることによって記録紙１１６がベルト１３３上に吸着保持される。なお、吸引吸着方式に代えて、静電吸着方式を採用してもよい。
【０１２９】
ベルト１３３が巻かれているローラ１３１、１３２の少なくとも一方にモータ（図１８４中符号１８８）の動力が伝達されることにより、ベルト１３３は図１３上の時計回り方向に駆動され、ベルト１３３上に保持された記録紙１１６は図１３の左から右へと搬送される。
【０１３０】
縁無しプリント等を印字するとベルト１３３上にもインクが付着するので、ベルト１３３の外側の所定位置（印字領域以外の適当な位置）にベルト清掃部１３６が設けられている。ベルト清掃部１３６の構成について詳細は図示しないが、例えば、ブラシ・ロール、吸水ロール等をニップする方式、清浄エアーを吹き掛けるエアーブロー方式、或いはこれらの組合せなどがある。清掃用ロールをニップする方式の場合、ベルト線速度とローラ線速度を変えると清掃効果が大きい。
【０１３１】
なお、ベルト搬送部１２２に代えて、ローラ・ニップ搬送機構を用いる態様も考えられるが、印字領域をローラ・ニップ搬送すると、印字直後に用紙の印字面をローラが接触するので画像が滲み易いという問題がある。したがって、本例のように、印字領域では画像面を接触させない吸着ベルト搬送が好ましい。
【０１３２】
ベルト搬送部１２２により形成される用紙搬送路上において印字部１１２の上流側には、加熱ファン１４０が設けられている。加熱ファン１４０は、印字前の記録紙１１６に加熱空気を吹き付け、記録紙１１６を加熱する。印字直前に記録紙１１６を加熱しておくことにより、インクが着弾後乾き易くなる。
【０１３３】
印字部１１２の各ヘッド１１２Ｋ，１１２Ｃ，１１２Ｍ，１１２Ｙは、当該インクジェット記録装置１１０が対象とする記録紙１１６の最大紙幅に対応する長さを有し、そのノズル面には最大サイズの記録媒体の少なくとも一辺を超える長さ（描画可能範囲の全幅）にわたりインク吐出用のノズルが複数配列されたフルライン型のヘッドとなっている（図１４参照）。
【０１３４】
ヘッド１１２Ｋ，１１２Ｃ，１１２Ｍ，１１２Ｙは、記録紙１１６の送り方向に沿って上流側から黒（Ｋ）、シアン（Ｃ）、マゼンタ（Ｍ）、イエロー（Ｙ）の色順に配置され、それぞれのヘッド１１２Ｋ，１１２Ｃ，１１２Ｍ，１１２Ｙが記録紙１１６の搬送方向と略直交する方向に沿って延在するように固定設置される。
【０１３５】
ベルト搬送部１２２により記録紙１１６を搬送しつつ各ヘッド１１２Ｋ，１１２Ｃ，１１２Ｍ，１１２Ｙからそれぞれ異色のインクを吐出することにより記録紙１１６上にカラー画像を形成し得る。
【０１３６】
このように、紙幅の全域をカバーするノズル列を有するフルライン型のヘッド１１２Ｋ，１１２Ｃ，１１２Ｍ，１１２Ｙを色別に設ける構成によれば、紙送り方向（副走査方向）について記録紙１１６と印字部１１２を相対的に移動させる動作を１回行うだけで（すなわち１回の副走査で）、記録紙１１６の全面に画像を記録することができる。これにより、記録ヘッドが紙搬送方向と直交する方向に往復動作するシャトル型ヘッドに比べて高速印字が可能であり、生産性を向上させることができる。
【０１３７】
本例では、ＫＣＭＹの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能である。また、各色ヘッドの配置順序も特に限定はない。
【０１３８】
図１３に示した印字検出部１２４は、印字部１１２の打滴結果を撮像するためのイメージセンサ（ラインセンサ又はエリアセンサ）を含み、該イメージセンサによって読み取った打滴画像からノズルの目詰まりや着弾位置誤差などの吐出特性をチェックする手段として機能する。各色のヘッド１１２Ｋ，１１２Ｃ，１１２Ｍ，１１２Ｙにより印字されたテストパターン又は実技画像が印字検出部１２４により読み取られ、各ヘッドの吐出判定が行われる。吐出判定は、吐出の有無、ドットサイズの測定、ドット着弾位置の測定などで構成される。
【０１３９】
印字検出部１２４の後段には後乾燥部１４２が設けられている。後乾燥部１４２は、印字された画像面を乾燥させる手段であり、例えば、加熱ファンが用いられる。印字後のインクが乾燥するまでは印字面と接触することは避けたほうが好ましいので、熱風を吹き付ける方式が好ましい。
【０１４０】
多孔質のペーパーに染料系インクで印字した場合などでは、加圧によりペーパーの孔を塞ぐことでオゾンなど、染料分子を壊す原因となるものと接触することを防ぐことで画像の耐候性がアップする効果がある。
【０１４１】
後乾燥部１４２の後段には、加熱・加圧部１４４が設けられている。加熱・加圧部１４４は、画像表面の光沢度を制御するための手段であり、画像面を加熱しながら所定の表面凹凸形状を有する加圧ローラ１４５で加圧し、画像面に凹凸形状を転写する。
【０１４２】
こうして生成されたプリント物は排紙部１２６から排出される。本来プリントすべき本画像（目的の画像を印刷したもの）とテスト印字とは分けて排出することが好ましい。このインクジェット記録装置１１０では、本画像のプリント物と、テスト印字のプリント物とを選別してそれぞれの排出部１２６Ａ、１２６Ｂへと送るために排紙経路を切り換える不図示の選別手段が設けられている。なお、大きめの用紙に本画像とテスト印字とを同時に並列に形成する場合は、カッター（第２のカッター）１４８によってテスト印字の部分を切り離す。また、図１３には示さないが、本画像の排出部１２６Ａには、オーダー別に画像を集積するソーターが設けられる。
【０１４３】
〔ヘッドの構造〕
次に、ヘッドの構造について説明する。色別の各ヘッド１１２Ｋ，１１２Ｃ，１１２Ｍ，１１２Ｙの構造は共通しているので、以下、これらを代表して符号１５０によってヘッ
ドを示すものとする。
【０１４４】
図１５(a) はヘッド１５０の構造例を示す平面透視図であり、図１５(b) はその一部の拡大図である。また、図１５(c) はヘッド１５０の他の構造例を示す平面透視図、図１６は記録素子単位となる１チャネル分の液滴吐出素子（１つのノズル５１に対応したインク室ユニット）の立体的構成を示す断面図（図１５(a) 中のＡ−Ａ線に沿う断面図）である。
【０１４５】
記録紙１１６上に印字されるドットピッチを高密度化するためには、ヘッド１５０におけるノズルピッチを高密度化する必要がある。本例のヘッド１５０は、図１５(a),(b) に示したように、インク吐出口であるノズル１５１と、各ノズル１５１に対応する圧力室１５２等からなる複数のインク室ユニット（液滴吐出素子）１５３を千鳥でマトリクス状に（２次元的に）配置させた構造を有し、これにより、ヘッド長手方向（紙送り方向と直交する方向）に沿って並ぶように投影（正射影）される実質的なノズル間隔（投影ノズルピッチ）の高密度化を達成している。
【０１４６】
記録紙１１６の送り方向と略直交する方向に記録紙１１６の全幅に対応する長さにわたり１列以上のノズル列を構成する形態は本例に限定されない。例えば、図１５(a) の構成に代えて、図１５(c) に示すように、複数のノズル１５１が２次元に配列された短尺のヘッドモジュール１５０’を千鳥状に配列して繋ぎ合わせることで記録紙１１６の全幅に対応する長さのノズル列を有するラインヘッドを構成してもよい。
【０１４７】
各ノズル１５１に対応して設けられている圧力室１５２は、その平面形状が概略正方形となっており（図１５(a),(b) 参照）、対角線上の両隅部の一方にノズル１５１への流出口が設けられ、他方に供給インクの流入口（供給口）１５４が設けられている。なお、圧力室１５２の形状は、本例に限定されず、平面形状が四角形（菱形、長方形など）、五角形、六角形その他の多角形、円形、楕円形など、多様な形態があり得る。
【０１４８】
図１６に示したように、各圧力室１５２は供給口１５４を介して共通流路１５５と連通されている。共通流路１５５はインク供給源たるインクタンク（不図示）と連通しており、インクタンクから供給されるインクは共通流路１５５を介して各圧力室１５２に分配供給される。
【０１４９】
圧力室１５２の一部の面（図１６において天面）を構成している加圧板（共通電極と兼用される振動板）１５６には個別電極１５７を備えたアクチュエータ１５８が接合されている。個別電極１５７と共通電極間に駆動電圧を印加することによってアクチュエータ１５８が変形して圧力室１５２の容積が変化し、これに伴う圧力変化によりノズル１５１からインクが吐出される。なお、アクチュエータ１５８には、チタン酸ジルコン酸鉛やチタン酸バリウムなどの圧電体を用いた圧電素子が好適に用いられる。インク吐出後、アクチュエータ１５８の変位が元に戻る際に、共通流路１５５から供給口１５４を通って新しいインクが圧力室１５２に再充填される。
【０１５０】
上述した構造を有するインク室ユニット１５３を図１７に示す如く主走査方向に沿う行方向及び主走査方向に対して直交しない一定の角度θを有する斜めの列方向とに沿って一定の配列パターンで格子状に多数配列させることにより、本例の高密度ノズルヘッドが実現されている。
【０１５１】
すなわち、主走査方向に対してある角度θの方向に沿ってインク室ユニット１５３を一定のピッチｄで複数配列する構造により、主走査方向に並ぶように投影されたノズルのピッチＰはｄ× cosθとなり、主走査方向については、各ノズル１５１が一定のピッチＰで直線状に配列されたものと等価的に取り扱うことができる。このような構成により、主走
査方向に並ぶように投影されるノズル列が１インチ当たり2400個（2400ノズル／インチ）におよぶ高密度のノズル構成を実現することが可能になる。
【０１５２】
なお、印字可能幅の全幅に対応した長さのノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、用紙の幅方向（用紙の搬送方向と直交する方向）に１ライン（１列のドットによるライン又は複数列のドットから成るライン）を印字するようなノズルの駆動を主走査と定義する。
【０１５３】
特に、図１７に示すようなマトリクス状に配置されたノズル１５１を駆動する場合は、上記（３）のような主走査が好ましい。すなわち、ノズル１５１-11 、１５１-12 、１５１-13、１５１-14 、１５１-15 、１５１-16を１つのブロックとし（他にはノズル１５１-21 、…、１５１-26を１つのブロック、ノズル１５１-31 、…、１５１-36を１つのブロック、…として）、記録紙１１６の搬送速度に応じてノズル１５１-11 、１５１-12 、…、１５１-16を順次駆動することで記録紙１１６の幅方向に１ラインを印字する。
【０１５４】
一方、上述したフルラインヘッドと用紙とを相対移動することによって、上述した主走査で形成された１ライン（１列のドットによるライン又は複数列のドットから成るライン）の印字を繰り返し行うことを副走査と定義する。
【０１５５】
そして、上述の主走査によって記録される１ライン（或いは帯状領域の長手方向）の示す方向を主走査方向といい、上述の副走査を行う方向を副走査方向という。すなわち、本実施形態では、記録紙１１６の搬送方向が副走査方向であり、それに直交する方向が主走査方向ということになる。
【０１５６】
本発明の実施に際してノズルの配置構造は図示の例に限定されない。また、本実施形態では、ピエゾ素子（圧電素子）に代表されるアクチュエータ１５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【０１５７】
〔制御系の説明〕
図１８は、インクジェット記録装置１１０のシステム構成を示すブロック図である。同図に示したように、インクジェット記録装置１１０は、通信インターフェース１７０、システムコントローラ１７２、画像メモリ１７４、ＲＯＭ１７５、モータドライバ１７６、ヒータドライバ１７８、プリント制御部１８０、画像バッファメモリ１８２、ヘッドドライバ１８４等を備えている。
【０１５８】
通信インターフェース１７０は、ホストコンピュータ１８６から送られてくる画像データを受信するインターフェース部（画像入力手段）である。通信インターフェース１７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。
【０１５９】
ホストコンピュータ１８６から送出された画像データは通信インターフェース１７０を介してインクジェット記録装置１１０に取り込まれ、一旦画像メモリ１７４に記憶される。画像メモリ１７４は、通信インターフェース１７０を介して入力された画像を格納する記憶手段であり、システムコントローラ１７２を通じてデータの読み書きが行われる。画像メモリ１７４は、半導体素子からなるメモリに限らず、ハードディスクなど磁気媒体を用いてもよい。
【０１６０】
システムコントローラ１７２は、中央演算処理装置（ＣＰＵ）及びその周辺回路等から構成され、所定のプログラムに従ってインクジェット記録装置１１０の全体を制御する制御装置として機能するとともに、各種演算を行う演算装置として機能する。すなわち、システムコントローラ１７２は、通信インターフェース１７０、画像メモリ１７４、モータドライバ１７６、ヒータドライバ１７８等の各部を制御し、ホストコンピュータ１８６との間の通信制御、画像メモリ１７４及びＲＯＭ１７５の読み書き制御等を行うとともに、搬送系のモータ１８８やヒータ１８９を制御する制御信号を生成する。
【０１６１】
また、システムコントローラ１７２は、印字検出部１２４から読み込んだテストパターンの読取データから着弾位置誤差のデータを生成する演算処理を行う着弾誤差測定演算部１７２Ａと、測定された着弾位置誤差の情報から仮想打滴点を設定して濃度補正係数を算出する濃度補正係数算出部１７２Ｂとを含んで構成される。なお、着弾誤差測定演算部１７２Ａ及び濃度補正係数算出部１７２Ｂの処理機能はＡＳＩＣやソフトウエア又は適宜の組み合わせによって実現可能である。
【０１６２】
濃度補正係数算出部１７２Ｂにおいて求められた濃度補正係数のデータは、濃度補正係数記憶部１９０に記憶される。
【０１６３】
ＲＯＭ１７５には、システムコントローラ１７２のＣＰＵが実行するプログラム及び制御に必要な各種データ（着弾位置誤差測定用のテストパターンのデータを含む）などが格納されている。ＲＯＭ１７５は、書換不能な記憶手段であってもよいし、ＥＥＰＲＯＭのような書換可能な記憶手段であってもよい。また、このＲＯＭ１７５の記憶領域を活用することで、ＲＯＭ１７５を濃度補正係数記憶部１９０として兼用する構成も可能である。
【０１６４】
画像メモリ１７４は、画像データの一時記憶領域として利用されるとともに、プログラムの展開領域及びＣＰＵの演算作業領域としても利用される。
【０１６５】
モータドライバ１７６は、システムコントローラ１７２からの指示に従って搬送系のモータ１８８を駆動するドライバ（駆動回路）である。ヒータドライバ１７８は、システムコントローラ１７２からの指示に従って後乾燥部１４２等のヒータ１８９を駆動するドライバである。
【０１６６】
プリント制御部１８０は、システムコントローラ１７２の制御に従い、画像メモリ１７４内の画像データ（多値の入力画像のデータ） から打滴制御用の信号を生成するための各種加工、補正などの処理を行う信号処理手段として機能するとともに、生成したインク吐出データをヘッドドライバ１８４に供給してヘッド１５０の吐出駆動を制御する駆動制御手段として機能する。
【０１６７】
すなわち、プリント制御部１８０は、濃度データ生成部１８０Ａと、補正処理部１８０Ｂと、インク吐出データ生成部１８０Ｃと、駆動波形生成部１８０Ｄとを含んで構成される。これら各機能ブロック（１８０Ａ〜Ｄ）は、ＡＳＩＣやソフトウエア又は適宜の組み合わせによって実現可能である。
【０１６８】
濃度データ生成部１８０Ａは、入力画像のデータからインク色別の初期の濃度データを生成する信号処理手段であり、図１１のステップＳ２２で説明した濃度変換処理（ＵＣＲ処理や色変換を含む）及び必要な場合には画素数変換処理を行う。
【０１６９】
図１８の補正処理部１８０Ｂは、濃度補正係数記憶部１９０に格納されている濃度補正係数を用いて濃度補正の演算を行う処理手段であり、図１１のステップＳ２４で説明したムラ補正処理を行う。
【０１７０】
図１８のインク吐出データ生成部１８０Ｃは、補正処理部１８０Ｂで生成された補正後の濃度データから２値（又は多値）のドットデータに変換するハーフトーニング処理手段を含む信号処理手段であり、図１１のステップＳ２６で説明した２値（多値）化処理を行う。インク吐出データ生成部１８０Ｃにて生成されたインク吐出データはヘッドドライバ１８４に与えられ、ヘッド１５０のインク吐出動作が制御される。
【０１７１】
駆動波形生成部１８０Ｄは、ヘッド１５０の各ノズル１５１に対応したアクチュエータ１５８（図１６参照）を駆動するための駆動信号波形を生成する手段であり、該駆動波形生成部１８０Ｄにて生成された信号（駆動波形）は、ヘッドドライバ１８４に供給される。なお、駆動波形生成部１８０Ｄから出力される信号は、デジタル波形データであってもよいし、アナログ電圧信号であってもよい。
【０１７２】
プリント制御部１８０には画像バッファメモリ１８２が備えられており、プリント制御部１８０における画像データ処理時に画像データやパラメータなどのデータが画像バッファメモリ１８２に一時的に格納される。なお、図１８において画像バッファメモリ１８２はプリント制御部１８０に付随する態様で示されているが、画像メモリ１７４と兼用することも可能である。また、プリント制御部１８０とシステムコントローラ１７２とを統合して１つのプロセッサで構成する態様も可能である。
【０１７３】
画像入力から印字出力までの処理の流れを概説すると、印刷すべき画像のデータは、通信インターフェース１７０を介して外部から入力され、画像メモリ１７４に蓄えられる。この段階では、例えば、ＲＧＢの多値の画像データが画像メモリ１７４に記憶される。
【０１７４】
インクジェット記録装置１１０では、インク（色材） による微細なドットの打滴密度
やドットサイズを変えることによって、人の目に疑似的な連続階調の画像を形成するため、入力されたデジタル画像の階調（画像の濃淡）をできるだけ忠実に再現するようなドットパターンに変換する必要がある。そのため、画像メモリ１７４に蓄えられた元画像（ＲＧＢ）のデータは、システムコントローラ１７２を介してプリント制御部１８０に送られ、該プリント制御部１８０の濃度データ生成部１８０Ａ、補正処理部１８０Ｂ、インク吐出データ生成部１８０Ｃを経てインク色ごとのドットデータに変換される。
【０１７５】
すなわち、プリント制御部１８０は、入力されたＲＧＢ画像データをＫ，Ｃ，Ｍ，Ｙの４色のドットデータに変換する処理を行う。こうして、プリント制御部１８０で生成されたドットデータは、画像バッファメモリ１８２に蓄えられる。この色別ドットデータは、ヘッド１５０のノズルからインクを吐出するためのＣＭＹＫ打滴データに変換され、印字されるインク吐出データが確定する。
【０１７６】
ヘッドドライバ１８４は、プリント制御部１８０から与えられるインク吐出データ及び駆動波形の信号に基づき、印字内容に応じてヘッド１５０の各ノズル１５１に対応するアクチュエータ１５８を駆動するための駆動信号を出力する。ヘッドドライバ１８４にはヘッドの駆動条件を一定に保つためのフィードバック制御系を含んでいてもよい。
【０１７７】
こうして、ヘッドドライバ１８４から出力された駆動信号がヘッド１５０に加えられることによって、該当するノズル１５１からインクが吐出される。記録紙１１６の搬送速度に同期してヘッド１５０からのインク吐出を制御することにより、記録紙１１６上に画像が形成される。
【０１７８】
上記のように、プリント制御部１８０における所要の信号処理を経て生成されたインク吐出データ及び駆動信号波形に基づき、ヘッドドライバ１８４を介して各ノズルからのインク液滴の吐出量や吐出タイミングの制御が行われる。これにより、所望のドットサイズやドット配置が実現される。
【０１７９】
印字検出部１２４は、図１３で説明したように、イメージセンサを含むブロックであり、記録紙１１６に印字された画像を読み取り、所要の信号処理などを行って印字状況（吐出の有無、打滴のばらつき、光学濃度など）を検出し、その検出結果をプリント制御部１８０及びシステムコントローラ１７２に提供する。
【０１８０】
プリント制御部１８０は、必要に応じて印字検出部１２４から得られる情報に基づいてヘッド１５０に対する各種補正を行うとともに、必要に応じて予備吐出や吸引、ワイピング等のクリーニング動作（ノズル回復動作）を実施する制御を行う。
【０１８１】
本例の場合、印字検出部１２４と着弾誤差測定演算部１７２Ａの組み合わせが「特性情報取得手段」に相当し、濃度補正係数算出部１７２Ｂが補正対象記録素子（ノズル）を決定する「決定手段」、「補正範囲設定手段」及び「補正係数決定手段」に相当する。また、補正処理部１８０Ｂが「補正処理手段」に相当している。
【０１８２】
上記構成のインクジェット記録装置１１０によれば、着弾位置誤差による濃度ムラが低減された良好な画像を得ることができる。
【０１８３】
〔変形例１〕
図１８で説明した着弾誤差測定演算部１７２Ａ、濃度補正係数算出部１７２Ｂ、濃度データ生成部１８０Ａ、補正処理部１８０Ｂが担う処理機能の全て又は一部をホストコンピュータ１８６側に搭載する態様も可能である。
【０１８４】
〔変形例２〕
図１３〜１８では、インクジェット記録装置１１０に装備した印字検出部１２４によってテストパターンを読み取る構成を例示し、インクジェット記録装置１１０におけるシステムコントローラ(図１８の符号１７２)、及び／又はプリント制御部(符号１８０)に着弾誤差データ取得のための演算処理機能並びに濃度補正係数の演算処理機能を組み込み、インクジェット記録装置１１０内で演算処理を実施する例を示したが、テストパターンを読み取る手段としての画像読取装置や、その画像読取装置から得られた画像データの処理機能をプリンタの外部装置によって実現することも可能である。
【０１８５】
例えば、テストパターンを読み取る画像読取装置としてフラットベットスキャナーなどを用いることも可能である。また、読み込んだデータを解析して濃度補正係数を算出する演算手段として、インクジェット記録装置１１０とは別のコンピュータを用いる構成が可能である。この場合、図１０のステップＳ１２で説明した着弾誤差データの測定に用いる画像解析の処理アルゴリズムやステップＳ１４〜１６で説明した濃度補正係数の演算アルゴリズムをコンピュータに実行させるプログラムをコンピュータに組み込み、同プログラムを動作させることにより、当該コンピュータを演算装置として機能させる。
【０１８６】
〔変形例３〕
上記実施形態では、記録媒体の全幅に対応する長さのノズル列を有するページワイドのフルライン型ヘッドを用いたインクジェット記録装置を説明したが、本発明の適用範囲はこれに限定されず、シリアル型（シャトルスキャン型）ヘッドなど、短尺の記録ヘッドを移動させながら、複数回のヘッド走査により画像記録を行うインクジェット記録装置におけるスジムラに対しても有効な補正効果を得ることができる。
【０１８７】
また、上述の説明では、画像形成装置の一例としてインクジェット記録装置を例示したが、本発明の適用範囲はこれに限定されない。
【０１８８】
上記実施の形態では画像記録装置の一例としてインクジェット記録装置を説明したが、本発明の適用範囲はこれに限定されない。インクジェット方式以外では、サーマル素子を記録素子とする記録ヘッドを備えた熱転写記録装置、ＬＥＤ素子を記録素子とする記録ヘッドを備えたＬＥＤ電子写真プリンタ、ＬＥＤライン露光ヘッドを有する銀塩写真方式プリンタなど、ドット記録を行う各種方式の画像記録装置についても本発明を適用することが可能である。
【０１８９】
また、「画像記録装置」という用語の解釈においては、写真プリントやポスター印刷などのいわゆるグラフィック印刷の用途に限定されず、インクジェット技術を利用したレジスト印刷装置、電子回路基板の配線描画装置、微細構造物形成装置など、画像として把握できるパターンを形成し得る工業用途の装置も包含する。
【０１９０】
また、本発明の適用範囲は、着弾位置誤差による濃度ムラの補正に限定されず、液滴量誤差による濃度ムラ、不吐出ノズルの存在による濃度ムラ、周期的印字誤差による濃度ムラなど、様々な要因による濃度ムラに対して、上述した補正処理と同様の手法によって、補正効果を得ることができる。
【図面の簡単な説明】
【０１９１】
【図１】本発明の実施形態による濃度ムラ補正前の濃度プロファイルの例を示す説明図
【図２】本発明の実施形態による濃度ムラ補正後の様子を示す説明図
【図３】隣接打滴点の重なり部分に負の濃度を有する仮想打滴点が設定される例を示す説明図
【図４】仮想打滴点の設定例を示す図
【図５】１ドット（１つの打滴点）の反射濃度プロファイルを示すグラフ
【図６】重なり部分を有して隣接する２ドットの反射濃度プロファイルを示すグラフ
【図７】図５の反射濃度プロファイルを「反射濃度半球モデル」で近似した例を示すグラフ
【図８】図６の反射濃度プロファイルを「反射濃度半球モデル」で近似した例を示すグラフ
【図９】仮想打滴点を導入して計算される反射濃度プロファイルを示すグラフ
【図１０】本発明の実施形態による濃度補正係数算出時の手順を示すフローチャート
【図１１】画像出力時における処理手順を示すフローチャート
【図１２】本実施形態による濃度ムラ補正処理の概念図
【図１３】本発明の一実施形態によるインクジェット記録装置の全体構成図
【図１４】図１３に示したインクジェット記録装置の印字部周辺の要部平面図
【図１５（ａ）】ヘッドの構造例を示す平面透視図
【図１５（ｂ）】図１５(a) の要部拡大図
【図１５（ｃ）】フルライン型ヘッドの他の構造例を示す平面透視図
【図１６】図１５(a) 中のＡ−Ａ線に沿う断面図
【図１７】図１５(a) に示したヘッドのノズル配列を示す拡大図
【図１８】本実施形態に係るインクジェット記録装置のシステム構成を示す要部ブロック図
【図１９】ノズルの吐出特性のばらつきと濃度ムラの関係を説明するために用いた模式図
【符号の説明】
【０１９２】
１０…ラインヘッド、２０，２１…打滴点、３０…仮想打滴点、１１０…インクジェット記録装置、１１２…印字部、１１２Ｋ，１１２Ｃ，１１２Ｍ，１１２Ｙ…ヘッド、１１４…インク貯蔵／装填部、１１６…記録紙、１２２…ベルト搬送部（搬送手段）、１２４…印字検出部、１５０…ヘッド、１５１…ノズル（記録素子）、１５２…圧力室、１５３…インク室ユニット、１５８…アクチュエータ、１７２…システムコントローラ、１７２Ａ…着弾誤差測定演算部、１７２Ｂ…濃度補正係数算出部、１８０…プリント制御部、１８０Ａ…濃度データ生成部、１８０Ｂ…補正処理部、１８０Ｃ…インク吐出データ生成部、１８０Ｄ…駆動波形生成部、１８４…ヘッドドライバ
【図１】
2009078390.tif 000017
【図２】
2009078390.tif 000018
【図３】
2009078390.tif 000019
【図４】
2009078390.tif 000020
【図５】
2009078390.tif 000021
【図６】
2009078390.tif 000022
【図７】
2009078390.tif 000023
【図８】
2009078390.tif 000024
【図９】
2009078390.tif 000025
【図１０】
2009078390.tif 000026
【図１１】
2009078390.tif 000027
【図１２】
2009078390.tif 000028
【図１３】
2009078390.tif 000029
【図１４】
2009078390.tif 000030
【図１５（ａ）】
2009078390.tif 000031
【図１５（ｂ）】
2009078390.tif 000032
【図１５（ｃ）】
2009078390.tif 000033
【図１６】
2009078390.tif 000034
【図１７】
2009078390.tif 000035
【図１８】
2009078390.tif 000036
【図１９】
2009078390.tif 000037